(57)【要約】【課題】送信側および受信側を簡便な方法で設定可能な情報処理装置、撮像装置およびデータ通信方法を提供することを目的とする。【解決手段】接触した人体をデータ通信路とする人体通信によりデータを送信するデータ送信部および人体通信によりデータを受信するデータ受信部の少なくとも一方を備えるデータ通信部と、ユーザの所定の所作を感知する感知部と、感知部が所作を感知すると、データ送信部にデータ送信を開始させ、あるいは、データ受信部にデータ受信を開始させる人体通信制御部とを備える。【選択図】図３
2011014969.tif 000002
【特許請求の範囲】
【請求項１】
接触した人体をデータ通信路とする人体通信によりデータを送信するデータ送信部および前記人体通信によりデータを受信するデータ受信部の少なくとも一方を備えるデータ通信部と、
ユーザの所定の所作を感知する感知部と、
前記感知部が前記所作を感知すると、前記データ送信部にデータ送信を開始させ、あるいは、前記データ受信部にデータ受信を開始させる人体通信制御部とを備えること
を特徴とする情報処理装置。
【請求項２】
請求項１に記載の情報処理装置において、
前記人体通信制御部は、前記データ送信部によるデータ送信と、前記データ受信部によるデータ受信とを排他的に行なうことを特徴とする情報処理装置。
【請求項３】
請求項１または請求項２に記載の情報処理装置において、
前記データ送信部および前記データ受信部は同一の部材で構成されていることを特徴とする情報処理装置。
【請求項４】
請求項１から請求項３のいずれか一項に記載の情報処理装置において、
前記データ通信部は、所定の指紋を認証する指紋認証部を有し、
前記人体通信制御部は、前記指紋認証部により前記所定の指紋が認証された場合に、前記データ送信部にデータ送信を開始させ、あるいは、前記データ受信部にデータ受信を開始させることを特徴とする情報処理装置。
【請求項５】
請求項１から請求項４のいずれか一項に記載の情報処理装置において、
前記データ送信部により送信するデータまたは前記データ受信部により受信するデータの種類を制限するデータ種類制限部をさらに備えることを特徴とする情報処理装置。
【請求項６】
請求項１から請求項５のいずれか一項に記載の情報処理装置と、
被写体を撮像して画像データを出力する撮像部とを備えること
を特徴とする撮像装置。
【請求項７】
請求項６に記載の撮像装置において、
前記撮像部に撮像を指示する撮像指示部をさらに備え、
前記感知部は、前記撮像指示部に設けられ、前記撮像指示部に接触しているか否かを感知することを特徴とする撮像装置。
【請求項８】
請求項６または請求項７に記載の撮像装置において、
前記撮像部が撮像した画像データに基づく画像を視認可能なファインダをさらに備え、
前記感知部は、前記ファインダに設けられ、ユーザが前記ファインダを覗いているか否かを感知することを特徴とする情報処理装置。
【請求項９】
請求項６から請求項８のいずれか一項に記載の撮像装置において、
前記データは、前記撮像部が撮像する際の撮像条件であることを特徴とする撮像装置。
【請求項１０】
ユーザの所定の所作を感知すると、接触した人体をデータ通信路とする人体通信によってデータ送信を開始させ、あるいは、データ受信を開始させることを特徴とするデータ通信方法。
【発明の詳細な説明】
【技術分野】
【０００１】
本発明は、情報処理装置、撮像装置およびデータ通信方法に関する。
【背景技術】
【０００２】
近年、人体をデータ通信路とする人体通信が開発されている。例えば特許文献１には、デジタルカメラと腕時計とを人体通信によって接続し、腕時計からメールアドレスをデジタルカメラに送信し、デジタルカメラは、後日、通信回線に接続した際に、受信したメールアドレスを宛先とした電子メールに画像データを添付して送信する。
【先行技術文献】
【特許文献】
【０００３】
【特許文献１】特開２００４−２６０８００号公報
【発明の概要】
【発明が解決しようとする課題】
【０００４】
特許文献１に記載の技術では、人体通信の送信側が腕時計であり、受信側がデジタルカメラであることが、予め決められている。つまりデータ通信は送信側から受信側の一方向にしか行われず、双方向に人体通信を行うことは想定されていない。
【０００５】
したがって、双方向に人体通信を行う際には、送信側と受信側とを明確に区別することが必要となる。とりわけ、同種の機器（例えばデジタルカメラ相互間）で双方向に人体通信をするときには、データの送信方向が不明確になるからである。
【０００６】
しかしながら、スイッチやボタンを押すことによって、一方のデジタルカメラをデータ送信側、他方のデジタルカメラをデータ受信側、とする設定方法は、非常に煩雑である。
【０００７】
本発明は、このような課題に鑑み、送信側および受信側を簡便な方法で設定可能な情報処理装置、撮像装置およびデータ通信方法を提供することを目的としている。
【課題を解決するための手段】
【０００８】
請求項１に記載の情報処理装置は、接触した人体をデータ通信路とする人体通信によりデータを送信するデータ送信部および前記人体通信によりデータを受信するデータ受信部の少なくとも一方を備えるデータ通信部と、ユーザの所定の所作を感知する感知部と、前記感知部が前記所作を感知すると、前記データ送信部にデータ送信を開始させ、あるいは、前記データ受信部にデータ受信を開始させる人体通信制御部とを備えることを特徴とする。
【０００９】
請求項６に記載の撮像装置は、請求項１から請求項５のいずれか一項に記載の情報処理装置と、被写体を撮像して画像データを出力する撮像部とを備えることを特徴とする。
【００１０】
請求項１０に記載のデータ通信方法は、ユーザの所定の所作を感知すると、接触した人体をデータ通信路とする人体通信によってデータ送信を開始させ、あるいは、データ受信を開始させることを特徴とする。
【発明の効果】
【００１１】
本発明によれば、送信側および受信側を簡便な方法で設定可能な情報処理装置、撮像装置およびデータ通信方法を提供可能である。
【図面の簡単な説明】
【００１２】
【図１】第１および第２の実施形態であるデジタルカメラの概略図である。
【図２】図１（ａ）の第１の実施形態であるデジタルカメラの内部構成の一例を示すブロック図である。
【図３】図１（ａ）のデジタルカメラにおいて、人体通信によるデータ送信が開始される状態の一例と、人体通信によるデータ受信が開始される状態のデジタルカメラの一例を示す。
【図４】図２の指紋認証部の機能を説明する図である。
【図５】図２のデータ種類制限部の機能を説明する図である。
【図６】図１（ｂ）の第２の実施形態であるデジタルカメラの内部構成の一例を示すブロック図である。
【図７】図６の指紋認証部の機能を説明する図である。
【図８】図１（ａ）の第１の実施形態にかかるデジタルカメラを用いたデータ通信方法の一例を示すフローチャートである。
【図９】図１（ｂ）の第２の実施形態にかかるデジタルカメラを用いたデータ通信方法の一例を示すフローチャートである。
【発明を実施するための形態】
【００１３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。さらに、信号や電流はそれらが通る線路の符号によって表記するものとする。
【００１４】
（第１の実施形態）
本発明の第１の実施形態として、情報処理装置、ここでは情報処理装置としてデジタルカメラ１００を例にして説明する。デジタルカメラ１００は後述のように撮像部２２０を有するため、撮像装置の一例でもある。図１（ａ）は、本実施形態におけるデジタルカメラの概略図であり、図２は、図１（ａ）のデジタルカメラの内部構成の一例を示すブロック図である。デジタルカメラ１００は、接触した人体をデータ通信路とする人体通信によってデータを送信するデータ送信部１０２と、人体通信によってデータを受信するデータ受信部１０４とを備えている。データ送信部１０２とデータ受信部１０４は、データ通信部１０５に含まれていて、同一の部材で構成されている。
【００１５】
本実施形態では、データ送信部１０２はデジタルカメラ１００の側面に配置されていて、データ受信部１０４は、デジタルカメラ１００の突出したグリップ部１０６の内側側面に配置されている。ただしデータ送信部１０２およびデータ受信部１０４は、デジタルカメラ１００本体のどの部分に設けてもよい。また、ユーザの首筋に接触するネックストラップ（不図示）など、デジタルカメラ１００本体に電気的に接続されたアクセサリに設けてもよい。
【００１６】
（センサ）
デジタルカメラ１００は、ユーザ１２１の所定の所作を感知するための感知部（センサ）を有し、本実施形態では、ファインダ１０８が覗かれていることを所定の情報として感知するためのアイセンサ１１０を有する。デジタルカメラ１００が撮影準備中であることを感知するアイセンサ１１０を利用して、人体通信によるデータ通信を開始するためである。
【００１７】
またデジタルカメラ１００は、当該デジタルカメラ１００の撮像指示部としてのシャッタレリーズボタン１１２がタッチされていることを所定の情報として感知するための圧力センサ１１４を有する。これも、デジタルカメラ１００が撮影準備中であることを感知して、人体通信によるデータ通信を開始するためである。
【００１８】
デジタルカメラ１００は、その他、いかなるセンサを有していてもよく、そのセンサが所定の情報を検知したことを、人体通信によるデータ通信開始の契機としてよい。
【００１９】
デジタルカメラ１００は、アイセンサ１１０または圧力センサ１１４がユーザ１２１の所定の所作を感知すると、データ送信部１０２に人体通信によるデータ送信を開始させ、あるいは、データ受信部１０４に人体通信によるデータ受信を開始させる人体通信制御部１１６を有する。
【００２０】
これにより、例えばファインダ１０８を覗く、というユーザ１２１の所定の所作（アクション）によって、デジタルカメラ１００を人体通信の送信側にすることができる。一方、ファインダ１０８が覗かれていない間のデジタルカメラ１００は、人体通信の受信側にすることができる。なお、送受信側の関係は逆にしてもよいことは言うまでもなく、かかる設定は、人体通信制御部１１６の動作をプログラミングする際に自由に行ってよい。
【００２１】
図３は図１（ａ）のデジタルカメラ１００において、人体通信によるデータ送信が開始される状態の一例と、人体通信によるデータ受信が開始される状態のデジタルカメラの一例を示す。
【００２２】
この場合、ファインダ１０８が覗かれているデジタルカメラ１００は送信側とし、ファインダ１０８が覗かれていないデジタルカメラ５００は受信側とする制御を人体通信制御部１１６が行う。デジタルカメラ１００のデータ送信部１０２に触れている人体１２０が、他のデジタルカメラ５００（構成はデジタルカメラ１００と同様）のデータ受信部１０４に触れることによって、データが転送される。これにより、自他のデジタルカメラ１００、５００を、送信側、受信側、に設定する必要がない。送信側にしたいデジタルカメラ１００のファインダ１０８を覗き、送信側と受信側を人体１２０でつなぐ、というアクションによって、データ転送がどの方向へ行われるかが一目瞭然になる。
【００２３】
転送されるデータはＩＳＯ感度情報、ホワイトバランス設定値、プリセットマニュアルデータなど、撮像条件を設定したデータとしてよい。これにより、例えばエキスパートが設定した撮像条件を、自己のデジタルカメラに設定してもらうことができる。転送されるデータは、画像データ、音声データとしてもよい。
【００２４】
図３では、ファインダ１０８を覗くユーザ１２１と人体１２０とは、別人である。しかし、ユーザ１２１がデジタルカメラ１００のファインダ１０８を覗きながらデータ送信部１０２にも接触し、さらにデジタルカメラ５００のデータ受信部１０４にも接触することにより、２台のデジタルカメラ１００、５００間の人体通信をユーザ１２１一人で実行することも、無論、可能である。
【００２５】
図１（ａ）、図２および図３の構成では、専らデータ送信を行うデータ送信部１０２と、専らデータ受信を行うデータ受信部１０４とが別体として設けられている。上記の構成によれば、データ送信部１０２またはデータ受信部１０４に人体１２０が接触しているという前提条件に加え、アイセンサ１１０または圧力センサ１１４がユーザ１２１の所定の所作を感知するという、計２条件が成立すると、人体通信による通信が開始される。
つまり、ボタン操作などの煩雑な操作を要することなく、センサに何らかのユーザの所作を感知させるという簡便な方法によって、デジタルカメラ１００を、人体通信の送信側または受信側に設定可能である。また、データ転送中、データ転送の方向も一目瞭然になる。
【００２６】
（人体通信制御部１１６）
人体通信制御部１１６は、データ送信部１０２によるデータ送信と、データ受信部１０４によるデータ受信とを、排他的に行わせるのが望ましい。すなわち、人体通信制御部１１６は、データ送信部１０２およびデータ受信部１０４をＯＮ／ＯＦＦ制御でき、同時に両方をＯＮにしないのが望ましい。
【００２７】
図３の例では、デジタルカメラ１００のファインダ１０８が覗かれると、人体通信制御部１１６は、データ送信部１０２をＯＮとし、データ送信を可能とする。このとき、データ受信部１０４もＯＮとしてデータ受信可能な状態となると、デジタルカメラが送信側、受信側のいずれであるのかが不明確になってしまうからである。
【００２８】
また、データ送受信を同時に行わないことによって、データ送信部１０２・データ受信部１０４の両方に同一の人体が接触しても、同一のデジタルカメラ１００間でデータが送受信されるという無為な動作が回避される。
【００２９】
（指紋認証部）
図４は図２の指紋認証部１２２の機能を説明する図である。デジタルカメラ１００は、データ送信部１０２またはデータ受信部１０４に所定の指紋を有する人体１２０が接触したことを認証するための指紋認証部１２２を備えている。指紋認証部１２２は、データ送信部１０２およびデータ受信部１０４と一体に構成されていて、データ通信部１０５に含まれている。そして人体通信制御部１１６は、所定の指紋を有する人体１２０が接触したことが認証されると、データ送信部１０２に人体通信によるデータ送信を開始させ、あるいは、データ受信部１０４に人体通信によるデータ受信を開始させる。
【００３０】
上記の構成によれば、図４（ａ）に示すように、人体が接触しているという前提条件と、センサがユーザ１２１の所定の所作を感知するという条件に加え、さらに、人体通信が所定の人物の体（人体１２０）を介して行われていること、という、計３条件が成立しないと、人体通信が開始されないこととなる。これにより、図４（ｂ）に示すように、所定の人物の許可なく、他の人体１２４を用いて人体通信をみだりに行うことが防止され、人体通信の信頼性、安全性が高まる。
【００３１】
（データ種類制限部）
図５は図２のデータ種類制限部１２６の機能を説明する図である。デジタルカメラ１００は、人体通信によるデータ送信またはデータ受信が可能なデータの種類を制限するデータ種類制限部１２６を備える。
【００３２】
データ種類制限部１２６は、図５に示すように、ＬＣＤ（Liquid Crystal Display）１２８にデータの種類を表示し、送信または受信の可否をチェックボックスにチェックマークを入れることで表示する。チェックマークが入っていれば送信または受信が可能である。ユーザ１２１はボタン操作により、これら送受信の可否を予め設定変更可能である。
【００３３】
このように人体通信によってやりとりすることが可能なデータの種類を制限することにより、変更可能なデータと、変更不能なデータとを区別できる。
【００３４】
（デジタルカメラ構成）
図２を用いて、デジタルカメラのその他の構成について、以下、説明する。撮像部２２０は例えばＣＣＤ（Charge Coupled Device; 電荷結合素子）としてよく、被写界を撮像して電子的な画像信号を生成する撮像手段であり、例えば１６００×１２００個の画素を有する。撮像部２２０は、撮像レンズ２１０によって結像された被写体の光像を、画素毎にＲ（赤）、Ｇ（緑）、Ｂ（青）の色成分の画像信号（各画素で受光された画素信号の信号列からなる信号）に光電変換して出力する。
【００３５】
撮像部２２０から得られる画像信号（アナログ信号）は、アナログ信号処理回路２３０に与えられる。アナログ信号処理回路２３０は、画像信号に対して所定のアナログ信号処理を行う回路である。アナログ信号処理回路２３０は、少なくとも相関二重サンプリング回路（Correlated Double Sampling：ＣＤＳ。図示省略）およびオートゲインコントロール（Auto Gain Controlled：ＡＧＣ。図示省略）回路を含む。相関二重サンプリング回路によって画像信号のノイズ低減処理が行われ、オートゲインコントロール回路でゲイン調整することによって、画像信号のレベル調整が行われる。
【００３６】
Ａ／Ｄ変換器２４０は、画像信号の各画素信号を、例えば１２ビットのデジタル信号に変換する。変換後のデジタル信号は、中央処理装置（ＣＰＵ: Central Processing Unit）２５０に与えられ、画像データとして一時的にＲＡＭ（Random Access Memory）２６０に格納される。ＲＡＭ２６０に保存された画像データは、画像処理部２８０によって色補正処理等を施された後、圧縮伸張部２９０による圧縮処理等が施される。
【００３７】
また、マイク３００から得られる音声信号は、音声処理部３１０に入力される。音声処理部３１０に入力された音声信号は、音声処理部３１０内に設けられたＡ／Ｄ変換器（図示省略）により、デジタル信号に変換され、一時的にＲＡＭ２６０に格納される。デジタル化された音声信号は、再び音声処理部３１０に送り、スピーカ３２０から再生可能である。
【００３８】
操作部３３０は、電源ボタン３３０Ａ、各種の操作ボタン３３０Ｂ、撮像指示部としてのシャッタレリーズボタン１１２等を含み、ユーザ１２１がデジタルカメラ１００の設定を変更操作する際や撮像操作を行う際等に用いられる。
【００３９】
電源装置３４０は、デジタルカメラ１００に対する電源供給源である。これはリチウムイオン電池などの二次電池を用いてよい。
【００４０】
ＣＰＵ２５０は、ＲＡＭ２６０およびＲＯＭ（Read Only Memory）３５０に記録された所定のプログラムを実行することにより、上記各部を統括的に制御する。なお、ＲＡＭ２６０は、高速アクセス可能な半導体メモリであり、ＲＯＭ３５０は電気的に書き換えが不可能な不揮発の半導体メモリ（例えばフラッシュＲＯＭ）として構成される。また、ＲＡＭ２６０内における一部の領域は、一時記憶用のバッファエリアとして機能し、画像データおよび音声データを一時的に記憶する。
【００４１】
ＣＰＵ２５０の各処理部２８０、２９０、３１０は、マイクロコンピュータが所定のプログラムを実行することにより実現される、機能部位である。
【００４２】
画像処理部２８０は、ＷＢ（ホワイトバランス）処理、γ補正処理等の各種のデジタル画像処理を施す処理部である。ＷＢ処理は、Ｒ、Ｇ、Ｂの各色成分のレベル変換を行い、カラーバランスを調整する処理であり、γ補正処理は、画素データの階調を補正する処理である。圧縮伸張部２９０は、画像処理部２８０によって色補正処理等が行われた画像データを、さらに圧縮する。圧縮方式としては、例えばＪＰＥＧ（Joint Photographic Experts Group）方式などが採用される。音声処理部３１０は、音声データに対する各種のデジタル処理を施す処理部である。
【００４３】
このような構成を有するＣＰＵ２５０によって、撮像モード、再生モードの処理が行われる。例えば、撮像モードにおいては、まず撮像部２２０をビューファインダ（ＬＣＤ１２８）画像出力用の動作モードに設定した上で所定周期（例えば３０コマ／秒）の撮像を行い、撮像に応じた画像データを逐次出力する（予備撮像）。撮像部２２０から出力された画像データは、アナログ信号処理回路２３０、Ａ／Ｄ変換器２４０、画像処理部２８０を介してＬＣＤ１２８にビューファインダ画像として表示される。この状態で、シャッタレリーズボタン１１２がユーザ１２１によって半押し（Ｓ１状態）されると、ＣＰＵ２５０は、撮像部２２０から入力される予備撮像の画像データに基づき、ＡＥ（Auto Exposure）評価値およびＡＦ（Auto Focus）評価値を求める。ＣＰＵ２５０はＡＦ評価値に基づいて合焦位置を、公知の例えば山登り方式によって求め、ＡＥ／ＡＦ部３６０を用いて、合焦位置に撮像レンズ２１０を移動させる。また、ＣＰＵ２５０はＡＥ評価値に基づいて、本撮像時のシャッタスピード（撮像部２２０における電荷蓄積時間）、撮像レンズ２１０の絞り値およびアナログ信号処理回路２３０におけるオートゲインコントロールのゲイン値を決定する。
【００４４】
ＣＰＵ２５０は、撮像モードにおいてシャッタレリーズボタン１１２が全押し（本撮像。Ｓ２状態）されると、撮像部２２０の動作モードを本撮像用の動作モードに設定した上で被写体を撮像し、撮像部２２０で取得された撮像画像データに基づき、圧縮伸張部２９０で圧縮画像を生成する。そして、圧縮された高解像度の画像データは、記録媒体３７０に記録される。記録媒体３７０は例えばメモリカードとしてよい。
【００４５】
さらに、ＣＰＵ２５０は、記録媒体３７０から、デジタルカメラ１００で動作するプログラムを取り込むことも可能である。例えば、記録媒体３７０に記録されている制御プログラムを、ＲＡＭ２６０またはＲＯＭ３５０内に取り込むことができる。これにより、制御プログラムを更新することも可能である。
【００４６】
ＬＣＤ（Liquid Crystal Display）１２８は、被写界を表示するほか、ユーザ１２１に対する各種メニューを表示し、操作のための情報を提供する表示装置である。
【００４７】
（第２の実施形態）
本発明の第２の実施形態として、情報処理装置、ここでは情報処理装置としてデジタルカメラ２００を例にして説明する。デジタルカメラ２００は撮像部２２０を有するため、撮像装置の一例でもある。図１（ｂ）は、本実施形態におけるデジタルカメラ２００の概略図であり、図６は、図１（ｂ）のデジタルカメラ２００の内部構成の一例を示すブロック図である。デジタルカメラ２００について、第１の実施形態であるデジタルカメラ１００との相違点のみ、以下説明する。
【００４８】
デジタルカメラ２００は、接触した人体をデータ通信路とする人体通信によってデータを送受信するデータ通信部１１８を備える。このように、同一のデータ通信部１１８でデータ送受信を両方行う点で、別体のデータ送信部１０２およびデータ受信部１０４を備えるデジタルカメラ１００と異なる。
【００４９】
（人体通信制御部２１６）
本実施形態では、人体通信制御部２１６は、アイセンサ１１０または圧力センサ１１４がユーザ１２１の所定の所作を感知すると、データ通信部１１８を送信モードまたは受信モードにして人体通信によるデータ送信またはデータ受信を開始させる。
【００５０】
上記の構成によっても、ボタン操作などの煩雑な操作を要することなく、センサに何らかのユーザ１２１の所作を感知させるという簡便な方法によって、デジタルカメラ２００を、人体通信の送信側または受信側に設定可能である。また、データ転送中、データ転送の方向も一目瞭然になる。
【００５１】
本実施形態のように、１つのデータ通信部１１８が、データの送受信の両方を行う場合、人体通信制御部２１６は、データ通信部１１８の送信モードと受信モードとを、排他的に切り替える。
【００５２】
例えば、人体通信制御部２１６は、データ通信部１１８を送信モードにするとき以外、常に受信モードとしてもよいし、受信モードとするために、さらに、別のユーザ（図示しない）の動作をすることを条件としてもよい。いずれにしても、データ通信部１１８に送信モードおよび受信モードを同時に混在させなければよい。
【００５３】
これにより、デジタルカメラ２００が送信側、受信側のいずれであるのかを明確にし、また、同一のデジタルカメラ２００間でデータが送受信されることを回避するためである。
【００５４】
（指紋認証部）
図７は図６の指紋認証部１２２の機能を説明する図である。指紋認証部１２２は、データ通信部１１８と一体に構成されている。本実施形態のように、１つのデータ通信部１１８が、モードを切り替えることによって、データの送受信の両方を行う場合、人体通信制御部２１６は、所定の指紋を有する人体１２０が接触したことが認証されると、データ通信部１１８を送信モードまたは受信モードにして人体通信によるデータ送信またはデータ受信を開始させる。なおデジタルカメラ６００の構成はデジタルカメラ２００と同様である。
【００５５】
上記の構成によっても、人体通信の開始には、人体が接触しているという前提条件と、センサがユーザ１２１の所定の所作を感知するという条件に加え、さらに、人体通信が所定の人物の体（人体１２０）を介して行われていること、という、計３条件の成立が必要となる。これにより、図７（ｂ）に示すように、所定の人物の許可なく、他の人体１２４を用いて人体通信をみだりに行うことが防止され、人体通信の信頼性、安全性が高まる。
【００５６】
以上の構成を有する第１および第２の実施形態にかかるデジタルカメラを用いたデータ通信方法について、以下、説明する。
【００５７】
（第１の実施形態のデジタルカメラによるデータ通信方法）
図８は図１（ａ）の第１の実施形態にかかるデジタルカメラを用いたデータ通信方法の一例を示すフローチャートである。人体通信制御部１１６は、まず、デジタルカメラ１００に備えられたセンサ（アイセンサ１１０または圧力センサ１１４）がユーザ１２１の所定の所作を感知したか否かを確認する（ステップＳ４００）。センサがユーザ１２１の所定の所作を感知したことを契機として、指紋認証部１２２が、所定の指紋を有する人体１２０がデータ送信部１０２またはデータ受信部１０４に接触しているか否かを確認する（ステップＳ４０２）。
【００５８】
指紋認証部１２２によって、所定の指紋を有する人体１２０と認証されれば、人体通信制御部１１６は、人体１２０が接触している部分を判定する（ステップＳ４０４）。その部分がデータ送信部１０２であれば人体通信によるデータ送信を開始させ（ステップＳ４０６）、データ受信部１０４であればデータ受信を開始させる（ステップＳ４０８）。
【００５９】
（データ置換確認メッセージ）
人体通信によるデータ受信（ステップＳ４０８）を開始した場合に、人体通信制御部１１６は、受信したデータをＲＡＭ２６０に一時的に保存し、デジタルカメラ１００に設定されている既存のデータを、一時的に保存したデータに置換するか否かを決定させるメッセージをデジタルカメラのユーザ１２１に発する（ステップＳ４１０）。置換するための操作がデジタルカメラに対して行われると（ステップＳ４１２のＹ）、人体通信制御部１１６は、データ置換を実行する（ステップＳ４１４）。
【００６０】
メッセージは、ＬＣＤ１２８に視覚的に表示してもよいし、スピーカ３２０から音声を出力してもよいし、それら両方でもよい。メッセージの内容は、例えば「ホワイトバランス設定値が受信されましたが、置き換えますか？」などとしてよい。
【００６１】
上記の構成によれば、誤って受信してしまったデータを、既存のデータと置換することなく、破棄することも可能である。例えば、間違えて、自分より撮影が不得手な人のデータをもらってしまった場合の防御が可能となる。受信したデータは、すべて受信が完了するまでＲＡＭ２６０にストックし、最後に、置換するかどうかのメッセージを発して、置換の可否を決定すればよい。
【００６２】
（既存のデータの保存）
データ置換後、既存のデータは、再び置換可能な状態に保存する（ステップＳ４１６）。既存のデータを保存し、再び元の状態に戻す余地を設けておくためである。これにより、例えば置換した撮像条件で撮影し、確認したうえで、元の状態に戻すか否かを決定できる。既存データは、ＲＡＭ２６０に保存してもよいし、記録媒体３７０に保存してもよい。
【００６３】
（ハードウェア操作メッセージ）
データ受信を開始した場合に、さらに、受信したデータを一時的に保存し、デジタルカメラに設定されている既存のデータを一時的に保存したデータに置換するための操作を促すメッセージをデジタルカメラ１００のユーザ１２１に発する（ステップＳ４１８）。
【００６４】
上記の構成によれば、データ変更のためのハードウェア操作をユーザ１２１に促すことにより、ハードウェア操作することでしか設定変更できないデータを、真に置換すべきかどうかを、ユーザ１２１に確認することが可能である。
【００６５】
例えばＩＳＯ感度は、ソフトウェア上で変更可能であるが、これを変更すると、シャッタスピードが付随的に変更されることとなる。しかし、例えばダイヤル３８０（図１）などのハードウェアによってデジタルカメラ１００のシャッタスピードが設定されていることがあり、これが「シャッタスピード優先（Ｓ）」となっていたら、シャッタスピードを変更できない。そこで、ハードウェア操作をユーザ１２１に促すメッセージをユーザ１２１に発することにより、ユーザ１２１は、「絞り優先（Ａ）」「マニュアル（Ｍ）」「プログラムオート（Ｐ）」など、「シャッタ優先（Ｓ）」以外に設定することができる。
【００６６】
メッセージを発する方法は、置換するかどうかのメッセージと同様に発すればよい。
【００６７】
（第２の実施形態のデジタルカメラによるデータ通信方法）
図９は図１（ｂ）の第２の実施形態にかかるデジタルカメラを用いたデータ通信方法の一例を示すフローチャートである。図８と異なる点のみ説明すると、ステップＳ４０４に代えて、ステップＳ５０４が行われる。ステップＳ５０４では、人体通信制御部２１６が、予め定められたルールにより、データ通信部１１８を送信モードまたは受信モードに排他的に切り替える。その他の処理は図８と同様である。
【００６８】
なお、本明細書のデータ通信方法における各工程は、必ずしもフローチャートとして記載された順序に沿って時系列に処理する必要はなく、並列的あるいはサブルーチンによる処理を含んでもよい。
【００６９】
なお、第１および第２の実施形態では情報処理装置としてデジタルカメラを例に説明したが、その他の情報処理装置、例えば携帯電話、プリンタ、オーディオプレーヤ等に適用しても構わない。
【００７０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【００７１】
１００、２００、５００  …デジタルカメラ、１０２  …データ送信部、１０４  …データ受信部、１０６  …グリップ部、１０８  …ファインダ、１１０  …アイセンサ、１１２  …シャッタレリーズボタン、１１４  …圧力センサ、１１６、２１６  …人体通信制御部、１１８  …データ通信部、１２０  …人体、１２１  …ユーザ、１２２  …指紋認証部、１２４  …他の人体、１２６  …データ種類制限部、１２８  …ＬＣＤ、２１０  …撮像レンズ、２２０  …撮像部、２３０  …アナログ信号処理回路、２４０  …Ａ／Ｄ変換器、２５０  …ＣＰＵ、２６０  …ＲＡＭ、２８０  …画像処理部、２９０  …圧縮伸張部、３００  …マイク、３１０  …音声処理部、３２０  …スピーカ、３３０  …操作部、３３０Ａ  …電源ボタン、３３０Ｂ  …操作ボタン、３４０  …電源装置、３５０  …ＲＯＭ、３６０  …ＡＥ／ＡＦ部、３７０  …記録媒体、３８０  …ダイヤル
【図１】
2011014969.tif 000003
【図２】
2011014969.tif 000004
【図３】
2011014969.tif 000005
【図４】
2011014969.tif 000006
【図５】
2011014969.tif 000007
【図６】
2011014969.tif 000008
【図７】
2011014969.tif 000009
【図８】
2011014969.tif 000010
【図９】
2011014969.tif 000011